(57)【要約】【課題】本発明は水晶展示スタンドを開示した。【解決手段】台座と、前記台座の上側に設置された下旋転軸とを含み、前記下旋転軸は回転可能であり、前記下旋転軸の上端には外リングが固定的に設置され、前記外リングの中には前後に貫通した第一チャンバが設置され、前記第一チャンバの中には内リングが設置され、前記内リングの中には前記第一チャンバと連通した連通溝が設置され、前記第一チャンバの中には固定棒が三組固定的に設置され、前記固定棒が前記連通溝の中に伸びており、前記内リングの中には前記連通溝と連通したスライド溝が設置され、本発明は構造が簡単で、使用が簡便で、伝統的な展示スタンドの三百六十度しか展示できない欠点を解決し、七百二十度の死角ない展示を実現し、展示過程中に水晶を各角度から観察でき、よりいい展示効果を実現できる。【選択図】図１
2020175125.tif 000002
【特許請求の範囲】
【請求項１】
台座と、前記台座の上側に設置された下旋転軸とを含み、前記下旋転軸は回転可能であり、前記下旋転軸の上端には外リングが固定的に設置され、前記外リングの中には前後に貫通した第一チャンバが設置され、前記第一チャンバの中には内リングが設置され、前記内リングの中には前記第一チャンバと連通した連通溝が設置され、前記第一チャンバの中には固定棒が三組固定的に設置され、前記固定棒が前記連通溝の中に伸びており、前記内リングの中には前記連通溝と連通したスライド溝が設置され、前記固定棒のうち前記連通溝の中に位置した一端には前記スライド溝の中にスライド可能に連結されたＴ型ブロックが固定的に設置され、前記内リングの中には第二チャンバが設置され、前記第二チャンバの内壁の中には前方に開口したスライドレールが設置され、前記スライドレールの中には第一環状ラックがスライド可能に設置され、前記内リングの中には第三チャンバが設置され、前記第三チャンバが前後に貫通しており、前記第二チャンバの左右内壁の中には歯車軸が回転可能に設置され、前記歯車軸の一端が前記第三チャンバの中に伸びており、前記歯車軸のうち前記第二チャンバの中に位置した一端には伝動歯車が固定的に設置され、前記伝動歯車と前記スライドレールとが噛み合っており、前記歯車軸の中には左右に貫通したねじ山穴が設置され、前記ネジ山穴の中には螺旋ロッドがネジによって連結され、前記第三チャンバの中には支持棒が上下に対称的に設置され、前記支持棒と前記第三チャンバの内壁とが固定的に連結され、前記支持棒と、前記螺旋ロッドとの一端には環状ガラスが固定的に設置され、前記環状ガラスは透明材料から作られ、前記環状ガラスが当接し合って一つの球体になり、前記環状ガラスが当接し合って形成した球体の内部が展示チャンバであり、下側の前記支持棒には固定ブロックが固定的に設置され、前記固定ブロックの上端面には案内溝が左右に対称的に設置され、前記案内溝の中には案内ブロックがスライドできるように設置され、前記案内ブロックの上端面と前記螺旋ロッドとの間には連結棒が連結され、前記第一チャンバと、前記第二チャンバとの中には動力機構が設置され、水晶を前記展示チャンバの中に置いた後、前記動力機構が前記内リングを回転駆動し、前記動力機構は前記下旋転軸を回転駆動することにより、水晶の七百二十度の展示を実現することを特徴とする水晶展示スタンド。
【請求項２】
前記動力機構は前記第一チャンバの内壁に固定的に設置された固定板を含み、前記固定板の前端面には副旋転モータが固定的に設置され、前記副旋転モータの前端には上旋転軸が伝動可能に連結され、前記上旋転軸には旋転歯車が固定的に設置され、前記内リングの外円周面には第二環状ラックが固定的に設置され、前記旋転歯車と前記第二環状ラックとが噛み合っており、前記第二チャンバの内壁には動力モータが固定的に設置され、前記動力モータの上端には動力軸が伝動可能に連結され、前記動力軸には駆動歯車が固定的に設置され、前記駆動歯車と前記第一環状ラックとが噛み合っており、前記台座の中には主旋転モータが固定的に設置され、前記主旋転モータと前記下旋転軸とが伝動可能に連結され、前記主旋転モータが起動すると前記下旋転軸を回転連動させて前記外リングを回転させ、前記動力モータが起動すると前記駆動歯車によって前記第一環状ラックを回転させ、前記副旋転モータが起動すると前記旋転歯車と前記第二環状ラックとによって前記内リングを回転連動させることを特徴とする請求項１に記載の水晶展示スタンド。
【請求項３】
前記第三チャンバの内壁にはランプが少なくとも一組固定的に設置され、前記ランプは雰囲気づくりや照明の機能を有することを特徴とする請求項１に記載の水晶展示スタンド。
【発明の詳細な説明】
【技術分野】
【０００１】
本発明は展示スタンド分野に関し、具体的には水晶展示スタンドである。
【背景技術】
【０００２】
水晶アクセサリーはその光り輝く特質で人々に愛されており、現有の水晶展示スタンドは三百六十度の回転でしか展示できなく、見る人にとっては一つの観察位置に立つことで水晶のすべてを目に収めるのは難しい。上記問題をめぐって、本装置を提供する。
【先行技術文献】
【特許文献】
【０００３】
【特許文献１】中国特許出願公開第１０７７１３５３６号明細書
【発明の概要】
【発明が解決しようとする課題】
【０００４】
本発明の目的は水晶展示スタンドを提供し、既存の技術にある上記の欠陥を補うことにある。
【課題を解決するための手段】
【０００５】
本発明の水晶展示スタンドは、台座と、前記台座の上側に設置された下旋転軸とを含み、前記下旋転軸は回転可能であり、前記下旋転軸の上端には外リングが固定的に設置され、前記外リングの中には前後に貫通した第一チャンバが設置され、前記第一チャンバの中には内リングが設置され、前記内リングの中には前記第一チャンバと連通した連通溝が設置され、前記第一チャンバの中には固定棒が三組固定的に設置され、前記固定棒が前記連通溝の中に伸びており、前記内リングの中には前記連通溝と連通したスライド溝が設置され、前記固定棒のうち前記連通溝の中に位置した一端には前記スライド溝の中にスライド可能に連結されたＴ型ブロックが固定的に設置され、前記内リングの中には第二チャンバが設置され、前記第二チャンバの内壁の中には前方に開口したスライドレールが設置され、前記スライドレールの中には第一環状ラックがスライド可能に設置され、前記内リングの中には第三チャンバが設置され、前記第三チャンバが前後に貫通しており、前記第二チャンバの左右内壁の中には歯車軸が回転可能に設置され、前記歯車軸の一端が前記第三チャンバの中に伸びており、前記歯車軸のうち前記第二チャンバの中に位置した一端には伝動歯車が固定的に設置され、前記伝動歯車と前記スライドレールとが噛み合っており、前記歯車軸の中には左右に貫通したねじ山穴が設置され、前記ネジ山穴の中には螺旋ロッドがネジによって連結され、前記第三チャンバの中には支持棒が上下に対称的に設置され、前記支持棒と前記第三チャンバの内壁とが固定的に連結され、前記支持棒と、前記螺旋ロッドとの一端には環状ガラスが固定的に設置され、前記環状ガラスは透明材料から作られ、前記環状ガラスが当接し合って一つの球体になり、前記環状ガラスが当接し合って形成した球体の内部が展示チャンバであり、下側の前記支持棒には固定ブロックが固定的に設置され、前記固定ブロックの上端面には案内溝が左右に対称的に設置され、前記案内溝の中には案内ブロックがスライドできるように設置され、前記案内ブロックの上端面と前記螺旋ロッドとの間には連結棒が連結され、前記第一チャンバと、前記第二チャンバとの中には動力機構が設置され、水晶を前記展示チャンバの中に置いた後、前記動力機構が前記内リングを回転駆動し、前記動力機構は前記下旋転軸を回転駆動することにより、水晶の七百二十度の展示を実現する。
【０００６】
更の技術プランとして、前記動力機構は前記第一チャンバの内壁に固定的に設置された固定板を含み、前記固定板の前端面には副旋転モータが固定的に設置され、前記副旋転モータの前端には上旋転軸が伝動可能に連結され、前記上旋転軸には旋転歯車が固定的に設置され、前記内リングの外円周面には第二環状ラックが固定的に設置され、前記旋転歯車と前記第二環状ラックとが噛み合っており、前記第二チャンバの内壁には動力モータが固定的に設置され、前記動力モータの上端には動力軸が伝動可能に連結され、前記動力軸には駆動歯車が固定的に設置され、前記駆動歯車と前記第一環状ラックとが噛み合っており、前記台座の中には主旋転モータが固定的に設置され、前記主旋転モータと前記下旋転軸とが伝動可能に連結され、前記主旋転モータが起動すると前記下旋転軸を回転連動させて前記外リングを回転させ、前記動力モータが起動すると前記駆動歯車によって前記第一環状ラックを回転させ、前記副旋転モータが起動すると前記旋転歯車と前記第二環状ラックとによって前記内リングを回転連動させる。
【０００７】
優先的には、前記第三チャンバの内壁にはランプが少なくとも一組固定的に設置され、前記ランプは雰囲気づくりや照明の機能を有する。
【発明の効果】
【０００８】
以上により、本発明は構造が簡単で、使用が簡便で、伝統的な展示スタンドの三百六十度しか展示できない欠点を解決し、七百二十度の死角ない展示を実現し、展示過程中に水晶を各角度から観察でき、よりいい展示効果を実現できる。
【図面の簡単な説明】
【０００９】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１０】
【図１】図１は本発明の水晶展示スタンドの全体構造略図
【図２】図２は図１におけるＡ―Ａの構造略図
【図３】図３は図１におけるＢの構造略図
【図４】図４は図１におけるＣ―Ｃの構造略図
【図５】図５は図１におけるＤの構造略図
【発明を実施するための形態】
【００１１】
下記に付図説明と実施例を合わせて本発明を更に説明し、本発明の方式は下記の実施例に限らない。
【００１２】
図１〜５の示すように、本発明装置の水晶展示スタンドは、台座１０と、前記台座１０の上側に設置された下旋転軸１２とを含み、前記下旋転軸１２は回転可能であり、前記下旋転軸１２の上端には外リング１４が固定的に設置され、前記外リング１４の中には前後に貫通した第一チャンバ１５が設置され、前記第一チャンバ１５の中には内リング３３が設置され、前記内リング３３の中には前記第一チャンバ１５と連通した連通溝３７が設置され、前記第一チャンバ１５の中には固定棒１３が三組固定的に設置され、前記固定棒１３が前記連通溝３７の中に伸びており、前記内リング３３の中には前記連通溝３７と連通したスライド溝３５が設置され、前記固定棒１３のうち前記連通溝３７の中に位置した一端には前記スライド溝３５の中にスライド可能に連結されたＴ型ブロック３８が固定的に設置され、前記内リング３３の中には第二チャンバ２４が設置され、前記第二チャンバ２４の内壁の中には前方に開口したスライドレール１６が設置され、前記スライドレール１６の中には第一環状ラック１７がスライド可能に設置され、前記内リング３３の中には第三チャンバ２３が設置され、前記第三チャンバ２３が前後に貫通しており、前記第二チャンバ２４の左右内壁の中には歯車軸３８が回転可能に設置され、前記歯車軸３８の一端が前記第三チャンバ２３の中に伸びており、前記歯車軸３８のうち前記第二チャンバ２４の中に位置した一端には伝動歯車３４が固定的に設置され、前記伝動歯車３４と前記スライドレール１６とが噛み合っており、前記歯車軸３８の中には左右に貫通したねじ山穴３９が設置され、前記ネジ山穴３９の中には螺旋ロッド２５がネジによって連結され、前記第三チャンバ２３の中には支持棒２２が上下に対称的に設置され、前記支持棒２２と前記第三チャンバ２３の内壁とが固定的に連結され、前記支持棒２２と、前記螺旋ロッド２５との一端には環状ガラス２９が固定的に設置され、前記環状ガラス２９は透明材料から作られ、前記環状ガラス２９が当接し合って一つの球体になり、前記環状ガラス２９が当接し合って形成した球体の内部が展示チャンバ３１であり、下側の前記支持棒２２には固定ブロック２６が固定的に設置され、前記固定ブロック２６の上端面には案内溝３２が左右に対称的に設置され、前記案内溝３２の中には案内ブロック２７がスライドできるように設置され、前記案内ブロック２７の上端面と前記螺旋ロッド２５との間には連結棒２８が連結され、前記第一チャンバ１５と、前記第二チャンバ２４との中には動力機構１００が設置され、水晶を前記展示チャンバ３１の中に置いた後、前記動力機構１００が前記内リング３３を回転駆動し、前記動力機構１００は前記下旋転軸１２を回転駆動することにより、水晶の七百二十度の展示を実現する。
【００１３】
有益的には、前記動力機構１００は前記第一チャンバ１５の内壁に固定的に設置された固定板１９を含み、前記固定板１９の前端面には副旋転モータ２０が固定的に設置され、前記副旋転モータ２０の前端には上旋転軸１８が伝動可能に連結され、前記上旋転軸１８には旋転歯車２１が固定的に設置され、前記内リング３３の外円周面には第二環状ラック３６が固定的に設置され、前記旋転歯車２１と前記第二環状ラック３６とが噛み合っており、前記第二チャンバ２４の内壁には動力モータ４１が固定的に設置され、前記動力モータ４１の上端には動力軸４２が伝動可能に連結され、前記動力軸４２には駆動歯車４０が固定的に設置され、前記駆動歯車４０と前記第一環状ラック１７とが噛み合っており、前記台座１０の中には主旋転モータ１１が固定的に設置され、前記主旋転モータ１１と前記下旋転軸１２とが伝動可能に連結され、前記主旋転モータ１１が起動すると前記下旋転軸１２を回転連動させて前記外リング１４を回転させ、前記動力モータ４１が起動すると前記駆動歯車４０によって前記第一環状ラック１７を回転させ、前記副旋転モータ２０が起動すると前記旋転歯車２１と前記第二環状ラック３６とによって前記内リング３３を回転連動させる。
【００１４】
有益的には、前記第三チャンバ２３の内壁にはランプ３０が少なくとも一組固定的に設置され、前記ランプ３０は雰囲気づくりや照明の機能を有する。
【００１５】
前記水晶展示スタンドの実現方法は下記の手順を含む：
【００１６】
動力モータ４１を起動し、動力軸４２が駆動歯車４０を回転連動させて第一環状ラック１７を回転させ、伝動歯車３４が回転して歯車軸３８を旋転連動させ、螺旋ロッド２５が離れ合って左右の環状ガラス２９を分離させ、この時展示される水晶を展示チャンバ３１の中に置き、動力モータ４１を逆方向に回転させて左右の環状ガラス２９を再び当接させ、ランプ３０を起動し、主旋転モータ１１を起動し、主旋転モータ１１が下旋転軸１２を回転連動させ、下旋転軸１２が外リング１４を回転連動させ、外リング１４が固定棒１３と、歯車軸３８とによって内リング３３を三百六十度回転連動させ、副旋転モータ２０が起動し、副旋転モータ２０が上旋転軸１８を回転連動させ、上旋転軸１８が旋転歯車２１を回転連動させ、旋転歯車２１が第二環状ラック３６によって内リング３３を三百六十度回転連動させることで、水晶の七百二十度の展示を実現する。
【００１７】
以上により、本発明は構造が簡単で、使用が簡便で、伝統的な展示スタンドの三百六十度しか展示できない欠点を解決し、七百二十度の死角ない展示を実現し、展示過程中に水晶を各角度から観察でき、よりいい展示効果を実現できる。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175125.tif 000003
【図２】
2020175125.tif 000004
【図３】
2020175125.tif 000005
【図４】
2020175125.tif 000006
【図５】
2020175125.tif 000007